(57)【要約】【課題】拡張状態表示を正確且つ容易に把握することができる体重計を提供する。【解決手段】体重測定器本体２と、表示器３と、ＯＮとされたとき表示器３において通常表示よりも下の桁の拡張表示を表示させる拡張表示スイッチ８と、が備えられている。拡張表示スイッチ８は、非接触式スイッチとされ、その拡張表示スイッチ８に対する操作時に、反力（反作用）が体重測定器本体２に作用しないようにされている。【選択図】図１
2015094735.tif 000002
【特許請求の範囲】
【請求項１】
上壁が荷重入力壁とされる体重測定器本体と、該体重測定器本体の荷重入力壁に荷重が作用したとき、該荷重の通常表示を表示する表示器と、ＯＮとされたとき、前記表示器において前記通常表示よりも下の桁の拡張表示を表示させる拡張表示スイッチと、が備えられている体重計において、
前記拡張表示スイッチとして、非接触式スイッチが用いられている、
ことを特徴とする体重計。
【請求項２】
請求項１において、
前記表示器が、前記体重測定器本体の前側上方に配置され、
前記拡張表示スイッチが、前記表示器に備えられている、
ことを特徴とする体重計。
【請求項３】
請求項２において、
前記表示器に、挿入凹所が形成され、
前拡張表示スイッチが、前記表示器において、前記挿入凹所の内周壁面から該挿入凹所内に臨むようにして設けられている、
ことを特徴とする体重計。
【請求項４】
請求項１において、
前記体重測定器本体における荷重入力壁の所定個所に、光が該体重測定器本体の内外間を透過する透過領域が設けられ、
前記体重測定器本体内に、前記透過領域の下方領域において、前記拡張表示スイッチとして、投光した光の反射光を検出したときＯＮとなる拡散反射形の光電センサが配置されている、
ことを特徴とする体重計。
【発明の詳細な説明】
【技術分野】
【０００１】
本発明は、体重計に関する。
【背景技術】
【０００２】
体重計には、特許文献１に示すように、洗面台の前方の床面に配置された体重測定器と、体重測定器に設けられ体重測定器への加重によりオンするスイッチと、スイッチのオンにより作動して体温を測定する非接触式温度センサとを備えたものがある。
【０００３】
ところで、体重計には、計量法で特定計量器として指定されるものがある。このような体重計は、一般に、上壁が荷重入力壁とされる体重測定器本体と、該体重測定器本体の荷重入力壁に荷重が作用したとき、該荷重の通常表示（目量（ｅ））を表示する表示器と、手動操作によりＯＮとされたとき、前記表示器において前記通常表示よりも下の桁の拡張表示（実目量（ｄ））をも表示させる拡張表示スイッチと、が備えたものとされている。そして、このような体重計においては、上記拡張表示機能に関し、ＪＩＳ規格に基づき、手動操作により拡張表示スイッチが継続してＯＮとされている間、又は拡張表示スイッチがＯＮとされた後、手動操作が止められた場合には、その後、５秒間だけ、上記拡張表示が行われることになる。
【先行技術文献】
【特許文献】
【０００４】
【特許文献１】実開昭６２−１８４４３５号公報
【発明の概要】
【発明が解決しようとする課題】
【０００５】
しかし、上記体重計においては、拡張表示スイッチとして接触式スイッチが用いられており、その接触式スイッチに対して手動操作が行われた場合には、拡張表示が微細な値を示すものであることもあって、その接触式スイッチに対する手動操作に基づく反力、振動等により、接触式スイッチを押している間は勿論、接触式スイッチを押して離した後、５秒間において、拡張表示は安定せず微妙に変動するおそれがある。このため、折角、通常表示及び拡張表示を含む拡張状態表示を表示させてその拡張状態表示内容を知ろうとしても、その拡張表示を含む拡張状態表示を正確且つ容易に把握することができない。
【０００６】
本発明は、上記事情に鑑みてなされたもので、その目的は、拡張状態表示を正確且つ容易に把握することができる体重計を提供することにある。
【課題を解決するための手段】
【０００７】
前記目的を達成するために本発明（請求項１に係る発明）にあっては、
上壁が荷重入力壁とされる体重測定器本体と、該体重測定器本体の荷重入力壁に荷重が作用したとき、該荷重の通常表示を表示する表示器と、ＯＮとされたとき、前記表示器において前記通常表示よりも下の桁の拡張表示を表示させる拡張表示スイッチと、が備えられている体重計において、
前記拡張表示スイッチとして、非接触式スイッチが用いられている構成とされている。この請求項１の好ましい態様としては、請求項２以下の記載のとおりとなる。
【発明の効果】
【０００８】
本発明（請求項１に係る発明）によれば、拡張表示スイッチとして、非接触式スイッチが用いられていることから、その非接触式スイッチに対して操作が行われたとしても、その非接触式スイッチに対する操作よって、反力、振動等は生ぜず、拡張表示が変動することはなくなる。このため、拡張表示を表示させるときには、その拡張表示を含む拡張状態表示を正確且つ容易に把握することができる。
【０００９】
請求項２に係る発明によれば、表示器が、体重測定器本体の前側上方に配置され、拡張表示スイッチが表示器に備えられていることから、被測定者が体重測定器本体に乗りながら、拡張表示させる手動操作を容易にできる一方で、拡張表示スイッチが接触式スイッチである場合のように、被測定者が手動操作することに伴って、その反力（反作用）が体重測定器本体に作用するようなことはなくなり、拡張表示スイッチに対して手動操作を行ったとしても、拡張表示の安定性を高めることができる。このため、拡張表示スイッチに対する被測定者による手動操作の容易性を確保しつつ、被測定者に拡張状態表示を正確且つ容易に把握させることができる。
【００１０】
請求項３に係る発明によれば、表示器に挿入凹所が形成され、拡張表示スイッチが、表示器において、挿入凹所の内周壁面から該挿入凹所内に臨むようにして設けられていることから、手や指を挿入凹所内に挿入しない限り、非接触式スイッチがＯＮしないことになり、意図しない誤作動を防止できる。
【００１１】
請求項４に係る発明によれば、体重測定器本体における荷重入力壁の所定個所に、光が該体重測定器本体の内外間を透過する透過領域が設けられ、体重測定器本体内に、透過領域の下方領域において、拡張表示スイッチとして、投光した光の反射光を検出したときＯＮとなる拡散反射形の光電センサが配置されていることから、被測定者が体重測定器本体上に乗りながら、その足を透過領域上に位置させて、拡散反射形のセンサからの投光を反射させれば、その拡散反射形のセンサがＯＮとなり、拡張状態表示が表示器に表示される。このため、拡散反射形のセンサをＯＮさせるに際して、反力（反作用）を生じないようにして、拡張表示を変動させないようにすることができることになり、拡張状態表示を正確且つ容易に把握することができる。
【図面の簡単な説明】
【００１２】
【図１】第１実施形態に係る体重計を説明する説明図。
【図２】通常表示と拡張状態表とを説明する説明図。
【図３】通常表示と拡張状態表示とを別の態様をもって説明する説明図。
【図４】従前に係る体重計を説明する説明図。
【図５】第１実施形態に係る体重計における制御例を示すフローチャート。
【図６】第２実施形態に係る表示器を示す正面図。
【図７】第２実施形態に係る表示器を示す一部断面側面図。
【図８】第３実施形態に係る体重計を説明する説明図。
【図９】第３実施形態に係る体重測定器本体を説明する縦断面図。
【図１０】第４実施形態に係る体重計を説明する説明図。
【発明を実施するための形態】
【００１３】
以下、本発明の実施形態について図面に基づいて説明する。
図１〜図３、図５は第１実施形態を示している。その第１実施形態において、符号１は体重計であり、その体重計１には、体重測定器本体２と、表示器３と、が備えられている。
【００１４】
前記体重測定器本体２は、被測定者５の体重を測定する役割を有している。この体重測定器本体２は、既知の如く、扁平な箱状に形成されており、その体重測定器本体２の上壁が、平坦面を構成する荷重入力壁４として形成され、被測定者５が体重を測定するときには、その荷重入力壁４上に被測定者５が乗ることになる。
【００１５】
前記表示器３は、本実施形態においては、図１に示すように、支柱６を用いることにより、体重測定器本体２の前側上方に配置されている。
支柱６は、体重測定器本体２の前側において、上下方向に延びるように配置されており、その下端部には、支柱-６を安定に支持するために支持台７が取付けられている。
表示器３は、体重測定器本体２が測定した被測定者５の体重を表示する役割を有している。表示器３は、前記支柱６の上端部に取付けられており、その表示器３の上面には、例えば数値をもって表示する計測表示部３ａが設けられている。この計測表示部３ａにおいては、図２、図３に示すように、荷重の通常表示（目量（ｅ））を表示できるだけでなく、通常表示及びその通常表示よりも下の桁の拡張表示（実目量（ｄ））ｓをも併せて表示した拡張状態表示を選択的に表示させることができる。この表示器３は、支柱６により、大人の身長の半分程度の高さ位置に位置されており、これにより、その計測表示部３ａの見易さ、後述の拡張表示スイッチ８の手動操作容易性が確保されている。
【００１６】
この表示器３には、図１に示すように、その上面において、操作手段として非接触式の拡張表示スイッチ８が設けられている。この非接触式スイッチとしては、例えば、光学センサ、超音波センサ、レーザセンサ、非接触式温度センサ等を適宜、用いることができ、本実施形態においては、拡散反射形の光電センサ（以下、拡張表示スイッチ８と同符号８を用いる）が用いられている。この拡散反射形の光電センサ８には、光を投光する投光部と、反射光を受光する受光部とが備えられており、この拡散反射形光電センサ８においては、投光部から投光された光が反射されて受光部の受光量が増加されたときには、ＯＮ信号が出力され、その他の場合にはＯＦＦ信号が出力されることになる。このため、被測定者５が、上記非接触式の拡散反射形光電センサ８上に手をかざして、その拡散反射形光電センサ８からの投光を遮ったときには、ＯＮ信号が出力されることになる。
【００１７】
また、表示器３には、前記拡張表示スイッチ８の他に、他の操作手段として、例えば、電源のオン・オフを行う電源ボタン（電源スイッチ）、風袋引きを行う（例えば衣服の質量分を差し引く）風袋ボタン、測定前に表示が０でないときに押して０にする零点リセットボタン、風袋引きの数値を設定したり、オートオフの時間を設定したり、拡張表示の設定時間（通常５秒）を変更したりする設定ボタンが設けられている。これらの操作ボタンは、体重測定器本体２上に乗った状態で操作する非接触式の拡張表示スイッチ８とは異なり、被測定者５が体重測定器本体２に乗る前に操作するものであるため、接触式スイッチとされている。
【００１８】
前記体重測定器本体２の内部には、図１に示すように、荷重検出構造９と、制御ユニットＵとが収納されている。尚、図１においては、荷重検出構造９、制御ユニットＵの存在を明確にするために、それらは、体重測定器本体２の外部に図示されている。
【００１９】
前記荷重検出構造９は、体重測定器本体２の荷重入力壁４に作用する荷重を検出して、その荷重に応じた荷重相当信号（例えば電圧信号）を出力する役割を有している。このため、荷重検出構造９としては、例えば、荷重入力壁４に作用する荷重に応じて歪を生じさせる歪発生機構１０（起歪体、歪ゲージ等により構成）と、その歪発生機構１０が発生させる歪に基づき荷重相当信号（例えば電圧信号）を出力する歪−信号変換機構１１（ホイートストンブリッジ回路）と、を備えるものが用いられている。
【００２０】
前記制御ユニットＵには、演算部１２と、表示調整部１３と、制御部１４と、が組み込まれている。これらは、電源状態検出センサ２２からの電源ＯＮ状態信号が制御ユニットＵに入力されることを条件に作動されることになる。
演算部１２は、前述の荷重検出構造９（歪−信号変換機構１１）からの荷重相当信号に基づき、前記荷重入力壁４に入力される荷重を体重として演算する役割を有している。このため、演算部１２には、所定の演算式が予め記憶されている一方、その演算部１２には、荷重検出構造９（歪−信号変換機構１１）からの荷重相当信号が入力されることになっており、これにより、演算部１２は、所定の演算式と、荷重検出構造９（歪−信号変換機構１１）からの荷重相当信号とにより、荷重入力壁４に入力される荷重Ｗを体重として演算することになる。勿論この場合、通常表示だけでなく、拡張状態表示（拡張表示を含む全体表示）をも可能とする演算値が算出されている。
【００２１】
前記表示調整部１３は、前記演算部１２からの演算結果を調整して、表示器３での表示状態を、通常表示にするか、拡張状態表示にするかを決める役割を有している。このため、表示調整部１３には、演算部１２からの出力信号が入力される一方、その表示調整部１３から表示器３に対して、通常表示又は拡張状態表示に係る表示信号が出力されることになっている。
【００２２】
前記制御部１４は、前述の拡張表示スイッチ８からのＯＮ，ＯＦＦ信号に基づき、表示調整部１３が出力する表示信号を、通常表示に係るものにするか、拡張状態表示に係るものにするかを表示調整部１３に指示する役割を有している。このため、制御部１４には拡張表示スイッチ８からのＯＮ、ＯＦＦ信号が入力されていて、制御部１４に拡張表示スイッチ８からのＯＮ信号が入力されたときには、拡張状態表示に係る表示信号が表示器３に出力され、制御部１４に拡張表示スイッチ８からのＯＦＦ信号が入力されたときには、通常表示に係る表示信号が表示器３に出力されることになる。
【００２３】
このような制御ユニットＵは、概略的には次のような制御を行う。
被測定者５が体重測定器本体２に乗った場合には、荷重検出構造９（歪−信号変換機構１１）からの荷重相当信号に基づき、演算部１２が荷重入力壁４に入力される荷重Ｗを体重として演算する。そしてこの場合、被測定者５が、拡張表示スイッチ８の投光を遮らないときには、拡張表示スイッチ８からＯＮ信号が出力されないことになるため、表示調整部１３は、演算部１２からの出力信号を通常表示に係る表示信号として表示器３に出力する。これにより、表示器３は、通常表示をもって被測定者５の体重を表示する。
【００２４】
一方、上記状態（被測定者５が体重測定器本体２に乗った状態）で（体重測定中に）、被測定者５が拡張表示スイッチ８の投光を手で遮ったときには、拡張表示スイッチ８からＯＮ信号が出力されることになり、表示調整部１３は、演算部１２からの出力信号を拡張状態表示に係る表示信号として表示器３に出力する。これにより、表示器３は、拡張状態表示をもって被測定者５の体重を表示する。
この場合、被測定者５は、拡張表示スイッチ８を押すような操作をする必要がないことから、その拡張表示スイッチ８に対する操作に伴い、反作用が生じることはなく、体重測定器本体２に被測定者５の体重以外の荷重は加わらない。このため、拡張表示スイッチ８からの投光を遮っている間は勿論、拡張表示スイッチ８に対する手動操作を止めた後の５秒間においても、自己の拡張状態表示に係る体重を正確且つ容易に把握できる。
【００２５】
これに対して、図４に示すように、表示器３に拡張表示スイッチ８’として、接触式スイッチが設けられている場合には、被測定者５が、表示器３を拡張状態表示にすべく、拡張表示スイッチ８’をＯＮとするときには、被測定者５は接触式スイッチである拡張表示スイッチ８’を押圧しなければならず、これに伴い、その押圧に伴う反作用が被測定者５を介して体重測定器本体２に作用することになる。このため拡張表示スイッチ８’の押圧による不安定な荷重に基づき、拡張状態表示は、変動して不安定となり、被測定者５は、拡張状態表示を正確且つ容易に把握できなくなる。
【００２６】
上記制御ユニットＵによる制御の具体的な制御例を、図５に示すフローチャートにより説明する。尚、Ｓはステップを示す。
先ず、Ｓ１において、電源がＯＮになったか否かが判別され、そのＳ１がＮＯのときには、その判別が繰り返される一方、Ｓ１がＹＥＳのときには、Ｓ２において初期化が行われる。この初期化としては、零点設定と通常表示設定とが行われる。
【００２７】
Ｓ２が終了すると、Ｓ３においては、荷重検出構造９が荷重相当信号を検出し、演算部１２が、所定の演算式と、荷重検出構造９からの荷重相当信号とにより、荷重入力壁４に入力される荷重（体重）を測定値として演算する。このＳ３が終了すると、Ｓ４において、計量表示部３ａでの表示として、拡張状態表示が選択されているか否かが判別される。当初は、Ｓ２での初期化により通常表示が選択されていることから、Ｓ５に進み、そのＳ５において、被測定者５により拡張表示スイッチ８がＯＮとされたか否か、すなわち、被測定者５が拡張表示スイッチ８からの投光を手で遮ったか否かが判別される。このＳ５がＮＯのときには、前述のＳ４の判断結果を実行すべく、Ｓ５において、表示器３に被測定者５の体重が通常表示をもって表示される。続いて、次のＳ７において、測定終了か否かが判別され、Ｓ７がＹＥＳのときには、処理を終了する一方、Ｓ７がＮＯのときには、Ｓ３に戻され、これまでのＳ３〜Ｓ７が繰り返される。このＳ７の判別ステップでは、具体的には、電源がオフになったか否か、オートオフになったか否か（最終操作から設定時間が経過したか否か）が判別される。
【００２８】
前記Ｓ５がＹＥＳのときは、通常表示選択中に拡張表示スイッチ８がＯＮされたときであり、このときには、Ｓ８において、拡張状態表示に切替えが行われ、次のＳ９において、被測定者５が拡張表示スイッチ８に対するＯＮ操作を継続しているか否かが判別される。このＳ９がＹＥＳのときには、前記Ｓ６に移行し、前記Ｓ８の処理結果に基づき、表示器３に被測定者５の体重が拡張状態表示をもって表示される。
この場合、拡張表示スイッチ８が非接触式スイッチであり、拡張表示スイッチ８をＯＮとするときに、被測定者５が拡張表示スイッチ８を押圧する必要が無いことから、その反作用が被測定者５を介して体重測定器本体２に作用することはなく、拡張状態表示は、変動することなく安定した状態で表示される。
【００２９】
一方、Ｓ９がＮＯのときは、被測定者５が拡張表示スイッチ８に手をかざすことを止めてその拡張表示スイッチ８をＯＦＦにしたときであり、このときには、タイマがセットされ、作動時間Ｔが計測し始められる（Ｓ１０、Ｓ１１）。
そして次のＳ１２において、タイマの作動時間開始から所定時間（５秒）が経過したか否かが判別され、このＳ１２がＮＯのときには、未だ所定時間を経過していないとして、前記Ｓ６に移行し、表示器３において、被測定者５の体重が拡張状態表示をもって表示される。
これに対して、Ｓ１２がＹＥＳのときは、所定時間が経過したときであり、このときには、Ｓ１３において、拡張状態表示から通常表示に切替えられた後、Ｓ６に移行して、表示器３に被測定者５の体重が通常表示をもって表示される。ＪＩＳ規格を遵守するためである。
【００３０】
前記Ｓ４がＹＥＳのときは、表示器３において拡張状態表示が選択されているときであり、このときには、Ｓ１４において、拡張表示スイッチ８がＯＮされているか否かが判別される。このＳ１４がＮＯのときには、前記Ｓ１１に移行してタイマの作動時間Ｔの計測が続行され、Ｓ１４がＹＥＳのときには、前記Ｓ１０に移行してタイマがリセットされる。このため、被測定者５が拡張表示スイッチ８からの投光を手で遮っている限り、タイマのリセットが繰り返され、表示器３での拡張状態表示は継続される。これに対して、被測定者５が拡張表示スイッチ８からの投光を手で遮らなくなったときには、タイマ作動時間Ｔの計測が継続され、その計測時間が５秒に到達したときには、ＪＩＳ規格を遵守するべく通常表示に切替えられる。
【００３１】
図６、図７は第２実施形態、図８、図９は第３実施形態、図１０は第４実施形態を示す。この各実施形態において、前記第１実施形態と同一構成要素については同一符号を付してその説明を省略する。
【００３２】
図６、図７に示す第２実施形態は、前記第１実施形態の変形例を示す。この第２実施形態においては、表示器３が支柱６上端部に取付けられたとき、その表示器３における計測表示部３ａを含む上面３ｂが、上方に向かうに従って体重測定器本体２から離間するように傾斜されており、その傾斜した表示器上面３ｂには、その上部において計測表示部３ａが配置され、その表示器上面３ｂの下部には挿入凹所としての指挿入凹所１５が形成されている。
【００３３】
前記指挿入凹所１５は、本実施形態においては、溝形状をもって横方向に延びるようにして形成されている。この溝状の指挿入凹所１５の開口は、体重測定器本体２の後方側に向けつつ、水平方向よりも多少、上方に傾斜され、その指挿入凹所１５の大きさは、被測定者５の指５ａを挿入できるものとされている（図６参照）。
【００３４】
前記表示器３には、図７に示すように、拡張表示スイッチ８が指挿入凹所１５の内周壁面から指挿入凹所１５内に臨むようにして設けられている。本実施形態においても、拡張表示スイッチ８として、拡散反射形の光電センサ８が用いられており、被測定者５が指５ａを指挿入凹所１５に挿入することにより、拡散反射形光電センサ８の投光部から投光された光が反射されたときには、その拡散反射形光電センサ８の受光部の受光量が増加されて、拡散反射形光電センサ８がＯＮ信号を出力することになっている。
【００３５】
したがって、この第２実施形態においては、表示器３に拡張状態表示を表示させた場合に、その拡張状態表示を安定な状態にできると共に、指５ａを指挿入凹所１５内に挿入しない限り非接触式拡張表示スイッチ８がＯＮしないようにしたことにより、意図しない誤作動を防止できる。
【００３６】
図８、図９に示す第３実施形態は、非接触式の拡張表示スイッチ８を体重測定器本体２内に設けて、被測定者５の足によりその拡張表示スイッチ８を操作するようにしたものを示している。
この第３実施形態においては、体重測定器本体２は、図９に示すように、下側基板１６上に荷重検出構造９を介して荷重入力プレート１７が配置され、それらは、上側カバーケース１８により覆われている。このため、被測定者５が体重測定のために体重測定器本体２に乗った場合には、その被測定者５の荷重は、上側カバーケース１８の上壁部及び荷重入力プレート１７（荷重入力壁４）を介して荷重検出構造９に伝達され、その荷重検出構造９からの出力信号に基づき被測定者５の体重が表示器３に表示される。
【００３７】
この体重測定器本体２においては、荷重入力プレート１７及び上側カバーケース１８の上壁部の所定個所に、図９に示すように、光を体重測定器本体２の内外間において透過させる透過領域１９が形成されている。この透過領域１９は、荷重入力プレート１７及び上側カバーケース１８の上壁部の所定個所にそれぞれ貫通孔１７ａ，１８ａを連続して形成し、その各貫通孔１７ａ，１８ａに光を透過させる非反射材２０を充填した構成とされており、この透過領域１９においては、光が体重測定器本体２の内外間を透過できることになっている。この体重測定器本体２における下側基板１６上には、上記透過領域１９の下方領域において、前述の非接触式の拡散反射形光電センサ８が設けられており、その拡散反射形光電センサ８における投光部からの投光は、上記透過領域１９を利用して外部に出射できることになっている。
【００３８】
したがって、図９に示すように、被測定者５が体重測定器本体２上に乗りながら、その足を透過領域１９上に位置させて、拡散反射形の光電センサ８からの投光を反射させれば、その拡散反射形のセンサがＯＮ信号を出力することなり、拡張状態表示が表示器３に表示される。この場合、拡散反射形の光電センサ８をＯＮ操作することに伴って、被測定者５の荷重以外の荷重を生じさせる反作用が体重測定器本体２に作用しないことから、拡張状態表示において、その拡張状態表示が変動して不安定になることを防止できる。これにより、被測定者５は、その拡張状態表示を正確且つ容易に把握することができることになる。
【００３９】
図１０に示す第４実施形態においては、乳児用体重計１が示されている。乳児用体重計１は、一般に、操作部を含む体重測定器本体及び表示器が一体なっており、その測定に関しては、乳児５の体重範囲が広くないことから、狭い所定範囲で高い精度が要求されるものとなっている。このため、乳児用体重計１に拡張表示スイッチ８として接触式スイッチを設けた場合には、その押圧操作により乳児用体重計１に振動が生じ、特に計量表示部において拡張状態表示を表示する際、その表示が不安定となる傾向が強い。
このため、本実施形態においては、乳児用体重計１の前面２１に、通常表示又は拡張状態表示を表示する計測表示部（図１０では図示略）と共に、前述の非接触式の拡散反射形光電センサ８が設けられ、表示器３に拡張状態表示を表示するに際して、乳児用体重計に振動が発生しないようにされている。これにより、拡張状態表示が不安定になることを防止され、測定者は、その拡張状態表示を正確且つ容易に把握することができることになる。
【００４０】
以上実施形態について説明したが、本発明にあっては、拡張表示スイッチ８として、接触、非接触式スイッチの両方の機能を兼ね備えたものを用いてもよい。例えば、接触式のボタンスイッチを構成する一方で、その一部を透明にすると共にその内部に非接触式センサを埋め込む構成のものを用いることができる。これにより、被測定者５は、重測定器本体２に上がる前に拡張表示スイッチ８を押して操作し、重測定器本体２に上がったときには、拡張表示スイッチ８に手を近づけて非接触で操作できることになる。
【符号の説明】
【００４１】
１  体重計
２  体重測定器本体
３  表示器
４  荷重入力壁
８  拡張表示スイッチ
１５  指挿入凹所（挿入凹所）
１７  荷重入力プレート（荷重入力壁）
１８  上側カバーケース（荷重入力壁）
１９  透過領域
【図１】
2015094735.tif 000003
【図２】
2015094735.tif 000004
【図３】
2015094735.tif 000005
【図４】
2015094735.tif 000006
【図５】
2015094735.tif 000007
【図６】
2015094735.tif 000008
【図７】
2015094735.tif 000009
【図８】
2015094735.tif 000010
【図９】
2015094735.tif 000011
【図１０】
2015094735.tif 000012